(57)【要約】【課題】  本発明の目的は、髪の毛や糸くずのように絡みやすい汚れをグリル部材から容易に除去することのできるサイクロン集塵装置を提供することにある。【解決手段】  本発明に係る真空掃除機のサイクロン集塵装置は、流入される空気が旋回気流を形成することが出来るように吸込ポートが形成されたカバーと、前記カバーと結合され、流入された空気が排出される排気パイプを有するサイクロンボディと、前記排気パイプに設置されるグリルと、前記排気パイプの内側に移動可能に設置され、前記グリルに吸着された汚れを除去するグリルクリーニングユニットとを含む。【選択図】      図５
2007252885.tif 000002
【特許請求の範囲】
【請求項１】
流入される空気が旋回気流を形成することが出来るように吸込ポートが形成されたカバーと、
前記カバーと結合され、流入された空気が排出される排気パイプを有するサイクロンボディと、
前記排気パイプに設置されるグリルと、
前記排気パイプの内側に移動可能に設置され、前記グリルに吸着された汚れを除去するグリルクリーニングユニットと、を含むことを特徴とする真空掃除機のサイクロン集塵装置。
【請求項２】
前記グリルは、
前記排気パイプに結合されるグリルボディと、
前記グリルボディの中央に形成されるクリーニングホールと、
前記クリーニングホールの上側に突き出されるコーンと、
前記クリーニングホールを除いた前記グリルボディの開口面に設置される格子網と、を含むことを特徴とする請求項１に記載の真空掃除機のサイクロン集塵装置。
【請求項３】
前記クリーニングホールは、前記グリルボディの内周面から延長形成された複数のリブによって保持されることを特徴とする請求項２に記載の真空掃除機のサイクロン集塵装置。
【請求項４】
前記コーンは、前記クリーニングホールから延長形成された４つのバーが一点で合って形成されたことを特徴とする請求項２に記載の真空掃除機のサイクロン集塵装置。
【請求項５】
前記グリルは一体で形成されたことを特徴とする請求項２ないし請求項４のうちいずれか一つに記載された真空掃除機のサイクロン集塵装置。
【請求項６】
前記グリルクリーニングユニットは、
内部に空間部が形成されたクリーナーボディと、
前記空間部に結合される重量体と、
前記クリーナーボディの上側に延長形成される汚れ除去ボスと、を含むことを特徴とする請求項１に記載の真空掃除機のサイクロン集塵装置。
【請求項７】
前記重量体は、金属材質の球体であることを特徴とする請求項６に記載の真空掃除機のサイクロン集塵装置。
【請求項８】
前記汚れ除去ボスは、先端に「−」形状の汚れ除去バーが形成されたことを特徴とする請求項６に記載の真空掃除機のサイクロン集塵装置。
【請求項９】
前記汚れ除去ボスは、先端に「Ｖ」形状の汚れ除去バーが形成されたことを特徴とする請求項６に記載の真空掃除機のサイクロン集塵装置。
【請求項１０】
前記汚れ除去ボスは、先端に「凹」形状の汚れ除去バーが形成されたことを特徴とする請求項６に記載の真空掃除機のサイクロン集塵装置。
【請求項１１】
前記グリルクリーニングユニットは、
クリーナーボディと、
前記クリーナーボディの上側に延長形成される汚れ除去ボスと、を含むことを特徴とする請求項１に記載の真空掃除機のサイクロン集塵装置。
【請求項１２】
前記クリーナーボディは、鉄または鉛のような重量の重い金属であることを特徴とする請求項１１に記載の真空掃除機のサイクロン集塵装置。
【請求項１３】
前記汚れ除去ボスは、先端に「−」形状の汚れ除去バーが形成されたことを特徴とする請求項１１に記載の真空掃除機のサイクロン集塵装置。
【請求項１４】
前記汚れ除去ボスは、先端に「Ｖ」形状の汚れ除去バーが形成されたことを特徴とする請求項１１に記載の真空掃除機のサイクロン集塵装置。
【請求項１５】
前記汚れ除去ボスは、先端に「凹」形状の汚れ除去バーが形成されたことを特徴とする請求項１１に記載の真空掃除機のサイクロン集塵装置。
【請求項１６】
前記排気パイプは、前記グリルクリーニングユニットの往復運動をガイドする少なくとも一つのガイドピンを含むことを特徴とする請求項１に記載の真空掃除機のサイクロン集塵装置。
【請求項１７】
前記グリルクリーニングユニットは、
内部に空間部が形成されたクリーナーボディと、
前記空間部に結合される重量体と、
前記クリーナーボディの上側に延長形成される汚れ除去ボスと、
前記クリーナーボディの前記ガイドピンと対応する位置に形成されたガイドピンホルダーと、を含むことを特徴とする請求項１６に記載の真空掃除機のサイクロン集塵装置。
【請求項１８】
前記グリルクリーニングユニットは、
鉄または鉛のような重量の重い金属材質のクリーナーボディと、
前記クリーナーボディの上側に延長形成される汚れ除去ボスと、
前記クリーナーボディの前記ガイドピンと対応する位置に形成されたガイドピンホルダーと、を含むことを特徴とする請求項１６に記載の真空掃除機のサイクロン集塵装置。
【請求項１９】
流入される空気が旋回気流を形成することが出来るように吸込ポートが形成されたカバーと、
前記カバーと結合され、流入された空気が排出される排気パイプを有するサイクロンボディと、
前記排気パイプに設置されるグリルと、
前記排気パイプの外側に移動可能に設置され、前記グリルに吸着された汚れを除去するグリルクリーニングユニットと、を含むことを特徴とする真空掃除機のサイクロン集塵装置。
【請求項２０】
前記グリルは、
前記排気パイプに結合されるグリルボディと、
前記グリルボディの中央に形成されるクリーニングホールと、
前記クリーニングホールの上側に突き出されるコーンと、
前記クリーニングホールを除いた前記グリルボディの開口面に設置される格子網と、を含むことを特徴とする請求項１９に記載の真空掃除機のサイクロン集塵装置。
【請求項２１】
前記クリーニングホールは、前記グリルボディの内周面から延長形成された複数のリブによって保持されることを特徴とする請求項２０に記載の真空掃除機のサイクロン集塵装置。
【請求項２２】
前記グリルクリーニングユニットは、
鉄または鉛のような重量の重い金属材質のクリーナーボディと、
前記クリーナーボディの上側に前記グリルの中心に向かって折り曲げられた汚れ除去ボスと、を含むことを特徴とする請求項１９に記載の真空掃除機のサイクロン集塵装置。
【発明の詳細な説明】
【技術分野】
【０００１】
本発明は真空掃除機のサイクロン集塵装置に関する。
【背景技術】
【０００２】
一般的にサイクロン方式の真空掃除機は、旋回気流を形成することができるように吸込流路が形成されたボディと、汚れが含まれた空気から汚れが遠心分離された空気を吸込モーター側に排出する排気パイプ及び前記排気パイプに設置されるグリル部材と、を含む。
【０００３】
つまり、前記ボディに偏心するように形成された吸込ポートを介して流入される汚れが含まれた空気は、前記ボディの内壁面に沿って回転しつつ旋回気流を形成する。このように形成された旋回気流による遠心力により、汚れが含まれた空気は汚れと空気とに遠心分離される。
【０００４】
このように分離された汚れは自重によってボディの底面やボディの外周面側に連通形成された汚れ排出口を介して捕捉され、汚れが分離された空気はボディの中央に形成された排気パイプを介して吸込モーター側に排出される。
【０００５】
前記排気パイプには旋回気流によって分離されなかった髪の毛や繊維質の埃を捕捉するグリル部材が設置される。前記グリル部材は一般的に多数のリブが格子型で交差しながら格子網（メッシュ）を形成する。
【０００６】
ところが、髪の毛や繊維質の埃は絡み合いやすいので、前記格子網に絡み合った状態で付いてしまう場合が多い。このようにグリル部材に髪の毛のような繊維質の埃が絡み合うと、空気の流れが前記汚れによって閉鎖され、吸込力が減少され得るので掃除が必要になる。従って、集塵装置内に集められた汚れを捨てるときに前記グリル部材の掃除もしなければならないが、体積の大きい汚れの場合は集塵箱を引っ繰り返して間単に捨てられる一方、格子網に吸着された髪の毛や繊維質の埃はよく除去されず、使用者が前記グリル部材に吸着された汚れを手を使って一々除去しなければならないため、非衛生的であり煩わしいという問題点があり、その改善が求められている。
【特許文献１】韓国登録特許第１０−０５２６２４号公報
【特許文献２】韓国公開特許第２００２−０００４５７６号公報
【特許文献３】欧州公開特許第ＥＰ１１３６０２８号公報
【発明の開示】
【発明が解決しようとする課題】
【０００７】
本発明は前述の問題点を解決するために提出されたもので、本発明の目的は、髪の毛や糸くずのように絡みやすい汚れをグリル部材から容易に除去することのできるサイクロン集塵装置を提供することにある。
【課題を解決するための手段】
【０００８】
前述の目的を達成するための本発明に係る真空掃除機のサイクロン集塵装置は、流入される空気が旋回気流を形成することが出来るように吸込ポートが形成されたカバーと、前記カバーと結合され、流入された空気が排出される排気パイプを有するサイクロンボディと、前記排気パイプに設置されるグリルと、前記排気パイプの内側に移動可能に設置され、前記グリルに吸着された汚れを除去するグリルクリーニングユニットと、を含むことを特徴とする。
【０００９】
前記グリルは、前記排気パイプに結合されるグリルボディと、前記グリルボディの中央に形成されるクリーニングホールと、前記クリーニングホールの上側に突き出されるコーンと、前記クリーニングホールを除いた前記グリルボディの開口面に設置される格子網と、を含む。
【００１０】
前記クリーニングホールは、前記グリルボディの内週面から延長形成された複数のリブによって保持される。
【００１１】
前記コーンは、前記クリーニングホールから延長形成された４つのバーが一点で合って形成される。
【００１２】
前記グリルは一体で形成される。
【００１３】
本発明の好適な第１実施形態によると、前記グリルクリーニングユニットは、内部に空間部が形成されたクリーナーボディと、前記空間部に結合される重量体と、前記クリーナーボディの上側に延長形成される汚れ除去ボスと、を含む。
【００１４】
前記重量体は、鉄または鉛のような重量の重い金属材質の球体で備えられる。
【００１５】
前記汚れ除去ボスは、先端に「−」、「Ｖ」及び「凹」のうちいずれか一つの形状を有する汚れ除去バーが形成される。
【００１６】
本発明の好適な第２実施形態によると、前記グリルクリーニングユニットは、クリーナーボディと、前記クリーナーボディの上側に延長形成される汚れ除去ボスと、を含む。
【００１７】
前記クリーナーボディは、鉄または鉛のような重量の重い金属から構成される。
【００１８】
前記汚れ除去ボスは、先端に「−」、「Ｖ」及び「凹」のうちいずれか一つの形状を有する汚れ除去バーが形成される。
【００１９】
前記排気パイプは、前記グリルクリーニングユニットの往復運動をガイドする少なくとも一つのガイドピンを含むことができる。
【００２０】
この場合、前記グリルクリーニングユニットは、内部に空間部が形成されたクリーナーボディと、前記空間部に結合される重量体と、前記クリーナーボディの上側に延長形成される汚れ除去ボスと、前記クリーナーボディの前記ガイドピンと対応する位置に形成されたガイドピンホルダーと、を含む。
【００２１】
本発明の好適な第３実施形態によると、前記グリルクリーニングユニットは、前記排気パイプの外側に移動可能に設置される。
【００２２】
この場合、前記グリルクリーニングユニットは、鉄または鉛のような重量の重い金属材質のクリーナーボディと、前記クリーナーボディの上側に前記グリルの中心に向かって折り曲げられた汚れ除去ボスと、を含む。
【発明の効果】
【００２３】
本発明によると、サイクロン集塵装置のモーター側の出口に汚れが逆流することを防止するフィルターに髪の毛や繊維質の埃が絡み合っても、捕捉された汚れを捨てるためにサイクロン集塵装置を引っ繰り返すとき、グリルクリーニングユニットが自重によって下降しつつグリルに吸着された髪の毛のような汚れを除去することができる。
【発明を実施するための最良の形態】
【００２４】
以下、添付の図面に基づいて本発明の好適な実施形態を詳述する。
【００２５】
図１は、本発明に係る真空掃除機のサイクロン集塵装置を示す斜視図である。
【００２６】
同図に示すように、サイクロン集塵装置は、カバー１１０、サイクロンボディ１２０、グリル１３０、及びグリルクリーニングユニット１４０を含む。
【００２７】
カバー１１０にはサイクロン集塵装置に空気が旋回気流を形成しつつ流入されるように吸込ポート１１１が備えられる。
【００２８】
サイクロンボディ１２０のカバー１１０と結合され、吸込ポート１１１から流入された空気が排出される排気パイプ１２１が大体中心の付近に設置される。排気パイプ１２１は空気の吸込みのための負圧を形成するモーター室と連結され、排気パイプ１２１の内側には４つのガイドピン１２２が９０°の間隔で配置され、グリルクリーニングユニット１４０の往復運動をガイドする。ガイドピン１２２の一端には前記グリルクリーニングユニット１４０の位置を規制する規制突起１２３が突出して形成される。規制突起１２３は真空掃除機を使うとき、グリルクリーニングユニット１４０がサイクロン集塵装置の底面に当たることを防止する。
【００２９】
グリル１３０は、排気パイプ１２１に設置され、サイクロンボディ１２０から前記モーター室に排出される空気を物理的にもう一回フィルターする。
【００３０】
グリル１３０は図２に示すように、グリルボディ１３１、クリーニングホール１３２、コーン１３３、及び格子網１３４を含む。
【００３１】
グリルボディ１３１は排気パイプ１２１の外側に結合される。
【００３２】
クリーニングホール１３２はグリルボディ１３１の中央に形成され、グリルボディ１３１の内周面から延長形成された複数のリブ１３１ａによって保持される。
【００３３】
コーン１３３は、クリーニングホール１３２から延長形成された４つのバー１３３ａが一点で合って形成され、前記排気パイプ１２１の上側に向かうように構成される。
【００３４】
格子網１３４は、クリーニングホール１３２を除いたグリルボディの開口面に設置され、前記開口面を通過する空気から汚れを除去する。
【００３５】
このように構成されるグリルは一つのモールドで形成されることが好ましいが、これに限定せず、別の部材で形成された格子網１３４が付着される構成も可能である。
【００３６】
本発明の第１実施形態に係るグリルクリーニングユニット１４０は、図３に示すように、クリーナーボディ１４１、重量体１４２、汚れ除去ボス１４３を含む。
【００３７】
クリーナーボディ１４１の内部には空間部が形成され、前記空間部に鉄または鉛のように重量の重い金属材質の球体で設けられた重量体１４２が結合される。
【００３８】
汚れ除去ボス１４３は、クリーナーボディ１４１の上側に延長形成され、先端に汚れ除去バー１４４が備えられる。汚れ除去バー１４４は、「−」（図３）、「Ｖ」（図４）及び「凹」（図５）のうちいずれか一つの形状で備えられる。汚れ除去バー１４４の形状は、前述した３つの形状の以外にもコーン１３３の空間部を通過することができる形状であれば、どんな形状でも可能である。
【００３９】
本発明の好適な第２実施形態によると、前記グリルクリーニングユニット１４０’は、図６及び図９に示すようにクリーナーボディ１４１’及びクリーナーボディの上側に延長形成される汚れ除去ボス１４３’でのみ構成され得る。
【００４０】
クリーナーボディ１４１’は、鉄または鉛のような重量の重い金属から構成され、図６に示すように四角形に構成されることもでき、図９に示すように円筒状に構成されることもできる。
【００４１】
汚れ除去ボス１４３’は、先端に「−」形状の汚れ除去バー１４４’を備え、図示していないが、前述した第１実形態のように「Ｖ」及び「凹」の形状を有することもできる。
【００４２】
一方、前記第１及び第２実施形態に係るクリーナーボディ１４１、１４１’には排気パイプ１２０の内周面に形成されたガイドピン１２２と対応する位置にガイドピンホルダー１４５、１４５’が形成される。ガイドピンホルダー１４５は９０°の間隔で全部４つが構成される。
【００４３】
本発明の好適な第３実施形態に係るグリルクリーニングユニット１４０”は、図１０及び図１１に示すように、前記排気パイプの外側に移動可能に設置され得る。この場合、グリルクリーニングユニット１４０”は、鉄または鉛のような重量の重い金属材質のクリーナーボディ１４１”及びクリーナーボディ１４１”の上側にグリル１３０の中心に向かって折り曲げられて形成された汚れ除去ボス１４４”を含む。
【００４４】
以下、本発明に係る真空掃除機のサイクロン集塵装置の動作を図面に基づいて説明する。
【００４５】
サイクロン集塵装置の内部に汚れが満杯すると、使用者はサイクロン集塵装置を掃除機の本体から除去し、カバー１１０を除去した後にサイクロンボディ１２０を引っ繰り返して内部に捕捉された汚れを捨てる。
【００４６】
このように、捕捉された汚れを捨てるためにサイクロンボディ１２０を引っ繰り返すと、排気パイプ１２１の内部に移動可能に設置されたグリルクリーニングユニット１４０は、図８に示すようにガイドピン１２２に沿って重量方向（図８の矢印、ｇ）に移動する。これは、本発明の好適な第１実施形態のようにグリルクリーニングユニット１４０に鉄や鉛のような金属材質の重量体１４２を設置したり、第２実施形態のようにクリーナーボディ１４１’の材質を前記材質で備える場合、グリルクリーニングユニット１４０は重量体１４２またはクリーナーボディ１４１’の自重によって重力方向（ｇ）に下降するからである。
【００４７】
このようにグリルクリーニングユニット１４０が重力方向に下降すると、クリーナーボディ１４１、１４１’から延長形成された汚れ除去ボス１４３及び汚れ除去バー１４４がコーン１３３の空いた空間部を通過しながら、絡み合っている髪の毛や糸のような繊維質の埃をグリル１３０から除去する。つまり、髪の毛のような細くて長い汚れはコーン１３３に巻かれたり、格子網１３４に絡み合う場合が多いため、汚れ除去ボス１４３がコーン１３３の空いた空間部を通過すると、コーン１３３に絡み合っている汚れを容易にグリル１３０から離脱させることができる。
【００４８】
一方、図１０及び１１に示すように、グリルクリーニングユニット１４０”は、排気パイプ１２０の外側に移動可能に設置され得るが、この場合にも、グリル１３０側に折り曲げられて形成された汚れ除去ボス１４４”が、サイクロン集塵装置を引っ繰り返して内部に捕捉された汚れを捨てるとき、図１０に示された矢印方向に動きながらコーン１３３に絡み合っている髪の毛や繊維質の汚れを押し出すことができる。従って、グリル１３０に絡み合っている汚れを使用者が手を使わなくてもグリル１３０から除去することができる。
【図面の簡単な説明】
【００４９】
【図１】本発明に係るサイクロン集塵装置の分解斜視図である。
【図２】図１の排気パイプに結合されるグリルを示す斜視図である。
【図３】本発明の第１実施形態に係るグリルクリーニングユニットを示す斜視図である。
【図４】本発明の第１実施形態に係るグリルクリーニングユニットの汚れ除去ボスの他の例を示す斜視図である。
【図５】本発明の第１実施形態に係るグリルクリーニングユニットの汚れ除去ボスの他の例を示す斜視図である。
【図６】本発明の第２実施形態に係るグリルクリーニングユニットを示す斜視図である。
【図７】排気パイプの内側に本発明の第１実施形態に係るグリルクリーニングユニットが設置された状態を示す分解斜視図である。
【図８】本発明に係るサイクロン集塵装置に捕捉された汚れを捨てるために引っ繰り返したとき、グリルクリーニングユニットが自重によって重力方向に移動する状態を示す斜視図である。
【図９】排気パイプの内側に本発明の第２実施形態に係るグリルクリーニングユニットが設置された状態を示す分解斜視図である。
【図１０】排気パイプの外側に本発明の第３実施形態に係るグリルクリーニングユニットが設置された状態を示す斜視図である。
【図１１】図１０の本発明の第３実施形態に係るグリルクリーニングユニットを抜粋して示す斜視図である。
【符号の説明】
【００５０】
１１０      カバー
１２０      サイクロンボディ
１２１      排気パイプ
１２２      ガイドピン
１３０      グリル
１４０、１４０’、１４０”  グリルクリーニングユニット
１４１、１４１’、１４１”  クリーナーボディ
１４２      重量体
１４３、１４３’、１４３”  汚れ除去ボス
１４４      汚れ除去バー
【図１】
2007252885.tif 000003
【図２】
2007252885.tif 000004
【図３】
2007252885.tif 000005
【図４】
2007252885.tif 000006
【図５】
2007252885.tif 000007
【図６】
2007252885.tif 000008
【図７】
2007252885.tif 000009
【図８】
2007252885.tif 000010
【図９】
2007252885.tif 000011
【図１０】
2007252885.tif 000012
【図１１】
2007252885.tif 000013